(57)【要約】【課題】スロットマシン等の遊技機、或いは家具等の扉を開閉可能にヒンジする蝶番機構であって、扉支持のガタ付きをなくすとともに、耐荷重性，強度を増大させ、かつまた、部品点数を減らし製作コストを軽減させる。【解決手段】略水平に固着される受基板３と、該受基板上に摺動可能に重合される摺動板７と、該受基板と摺動板とを連結する１つのリンク１１とからなり、摺動板の下面にピン１０を突設し、該ピンが遊嵌する案内溝６を前記受基板３に形成し、扉２の開閉時に前記リンクと該案内溝とにより摺動板の動きが規制されるようにした。リンクは扉２の基端寄りに設け、案内溝は扉の自由端寄りに形成し、案内溝は扉の自由端側に膨らみを有した弧状曲線状に形成するとともに、リンクは扉の自由端側に膨らみを有した湾曲状の形態とする。【選択図】  図６
2005013510.tif 000002
【特許請求の範囲】
【請求項１】
略水平に固着される受基板と、該受基板上に摺動可能に重合される摺動板と、該受基板と摺動板とを連結する１つのリンクとからなり、摺動板の下面にピンを突設し、該ピンが遊嵌する案内溝を前記受基板に形成し、扉の開閉時に前記リンクと該案内溝とにより摺動板の動きが規制されるようにしたことを特徴とする蝶番機構。
【請求項２】
略水平に固着される受基板と、該受基板上に摺動可能に重合される摺動板と、該受基板と摺動板とを連結する１つのリンクとからなり、受基板の上面にピンを突設し、該ピンが遊嵌する案内溝を前記摺動板に形成し、扉の開閉時に前記リンクと該案内溝とにより摺動板の動きが規制されるようにしたことを特徴とする蝶番機構。
【請求項３】
リンクは扉の基端寄りに設け、案内溝は扉の自由端寄りに形成した請求項１または２に記載の蝶番機構。
【請求項４】
案内溝は扉の自由端側に膨らみを有した弧状曲線状に形成したものである請求項１〜３のいずれかに記載の蝶番機構。
【請求項５】
リンクは扉の自由端側に膨らみを有した湾曲状の形態である請求項１〜４のいずれかに記載の蝶番機構。
【発明の詳細な説明】
【０００１】
【発明の属する技術分野】
本発明は、スロットマシン，パチンコ機等の遊技機、或いは家具等の扉を開閉可能にヒンジする蝶番機構に関するものである。
【０００２】
【従来の技術】
多軸蝶番と称される周知の蝶番機構は、家具等の物品の開口縁の内側と扉の内面とを２つのリンクにより連結してなるものである。
【０００３】
【特許文献１】
特許第３０７５４９２号公報
【０００４】
また、上記特許文献１に示された遊技機械の扉に設けられる蝶番機構は、さらに多数のリンクを介して扉を支持することにより、扉を開放しても機械本体の側面よりはみ出さないようにするものであった。
【０００５】
【発明が解決しようとする課題】
ところで、上記従来の蝶番機構では、扉の荷重がリンクおよびそのリンク両端の支軸に掛かるので、扉重量によって撓みが生じ易いという問題がある。また、リンクによる連結では、その軸受部をよほど高精度に仕上げない限り、扉の支持にガタ付きが生じ易いという問題がある。また、少なくとも２つのリンクを要するなど所要部品点数が多いので、製造コストの低減化が困難であった。
【０００６】
また、スロットマシン等の遊技機は、従来から前面扉を遊技機本体に多軸蝶番を使用して開閉自在にヒンジされていたが、この扉閉時においても僅かに生じる遊技機と前面扉との隙間にピアノ線等のワイヤを侵入させ内部を操作するという不正な手段により、メダル，遊技球等が盗難されるおそれがあった。このため前面扉を隙間なく閉じられる必要性が一層求められるものであったが、従来の蝶番機構では上記のように扉の支持にガタができ易いのでこのような不正行為を有効に防止できないという問題があった。
【０００７】
本発明は、上記の点に鑑みてなされ、扉支持のガタ付きをなくすとともに、耐荷重性，強度を増大させ、かつまた、部品点数を減らし製作コストが軽減できる蝶番機構を提供しようとするものである。
【０００８】
【課題を解決するための手段】
そのために、請求項１に記載の蝶番機構の発明は、略水平に固着される受基板と、該受基板上に摺動可能に重合される摺動板と、該受基板と摺動板とを連結する１つのリンクとからなり、摺動板の下面にピンを突設し、該ピンが遊嵌する案内溝を前記受基板に形成し、扉の開閉時に前記リンクと該案内溝とにより摺動板の動きが規制されるようにしたことを特徴とする。
【０００９】
また、請求項２に記載の蝶番機構の発明は、略水平に固着される受基板と、該受基板上に摺動可能に重合される摺動板と、該受基板と摺動板とを連結する１つのリンクとからなり、受基板の上面にピンを突設し、該ピンが遊嵌する案内溝を前記摺動板に形成し、扉の開閉時に前記リンクと該案内溝とにより摺動板の動きが規制されるようにしたことを特徴とする。
【００１０】
また、請求項３に記載の発明は、上記蝶番機構において、リンクは扉の基端寄りに設け、案内溝は扉の自由端寄りに形成したことを特徴とする。
また、請求項４に記載の発明は、上記蝶番機構において、案内溝は扉の自由端側に膨らみを有した弧状曲線状に形成したものであることを特徴とする。
また、請求項５に記載の発明は、上記蝶番機構において、リンクは扉の自由端側に膨らみを有した湾曲状の形態であることを特徴とする。
【００１１】
【発明の実施の形態】
以下に本発明の実施形態を図面に基づいて説明する。図１は請求項１に記載の蝶番機構の実施形態を示した斜視図、２はその分解斜視図、図３はこの蝶番機構の取付状態を示した平面図、図４はそのＡ−Ａ線断面図、図５，図６は図３の開作動状態図である。図において、１は遊技機の本体、２は該本体の前面開口に開閉可能にヒンジしようとする扉である。３は受基板で、該受基板３は基部３ａと前方延出部３ｂとからなり、該基部３ａに取付孔３ｃを開設した取付片３ｄが折曲形成され、該取付孔３ｃにビス４を貫挿し、該取付片３ｄを本体１の側壁内面に固着することにより前方延出部３ｂが該本体１の前方に水平に突出した形態となるように該本体１に固着される。５は基部３ａの前縁寄りに形成された軸孔、６は前方延出部３ｂに扉２の自由端２ａ側に膨らみを有するように形成された弧状曲線状の案内溝である。なお、該案内溝の本体１寄りの端部には少し（数ミリ）の直線状部分６ａが形成されている。
【００１２】
７は受基板３上に摺動可能に重合される摺動板で、該摺動板７には取付片７ａが折曲形成され、該取付片に取付孔７ｂが開設されている。一方、扉２は内面が深く窪んだ形態のもので、その内面に取付片７ａを取り付けるためのボス２ａが突設され、取付孔７ｂに貫挿したビス８を該ボス２ａに螺入することで該取付片７ａを扉２の内側に固着する。９は該摺動板７に開設された軸孔、１０は該軸孔よりも扉２の自由端側に少し離れた位置にて該摺動板７の下面に突設されたピンで、該摺動板７を受基板３上に重合したとき該ピン１０が前記案内溝６に遊嵌する。
【００１３】
また、１１は扉２の自由端２ａ側に膨らみを有した湾曲状の形態に形成された板状のリンクで、該リンクの両端部下面に夫々支軸１２，１３を突設し、該支軸１２を受基板３の前記軸孔５に挿通するとともに、支軸１３を摺動板の前記軸孔９に挿通することにより受基板３と摺動板７とを該リンク１１により連結する。なお、該リンク１１の下面で支軸１２の周囲に座金１４が嵌着されている。
【００１４】
このように構成した蝶番機構では、扉２を開閉操作したとき、前記ピン１０は弧状曲線状の案内溝６に沿ってのみ移動し、前記軸孔９はリンク１１に拘束されて軸孔５を曲率中心とする円弧状軌跡のみを移動し得るので、摺動板７、即ち、扉２の動きがこれらにより規制され、図３に示した閉状態から図５に示した開閉途中の状態を経て図６に示した全開状態に変化する。即ち、扉２の基端２ｂ側はリンク１１が設けられ円弧状軌跡を動くことにより開閉途中にて本体１の開口縁から離れ、全開状態になっても本体１の側面からはみ出すことはない。このため、扉２の開閉が隣接する遊技機等を邪魔するおそれがなく、従来の２つのリンクを有した多軸蝶番と同等の利便性を有する。
【００１５】
また、摺動板７は動きがリンク１１と案内溝６とに規制されることから扉２を本体１の前面開口に対し隙間無く密着させて閉じさせることができる。なお、案内溝６の端部に直線状部分６ａを形成することにより、扉２を閉じる直前に本体１の前面開口に対し真直に接近させることとなるので、扉２の密着性をより改善することができる。
【００１６】
また、本発明の蝶番機構では、扉２の重みが摺動板７を介して受基板３上に負荷されるので、リンク１１や支軸１２，１３に扉の過大な荷重が掛かることなくその撓みや変形が防止されるとともに、受基板３上に摺動板７との接触面が充分に得られることからガタ付きが極めて少ない。
【００１７】
一方、図７は請求項２に記載の蝶番機構の実施形態を示した斜視図で、この蝶番機構は、本体１に略水平に固着される受基板３と、扉２の内面に固着され受基板３上に摺動可能に重合される摺動板７と、該受基板と摺動板とを連結する１つのリンク１１とからなり、受基板の上面にピン１０を突設し、該ピンが遊嵌する案内溝６を摺動板７に形成してなり、上記実施形態と同一符号は同一部材または相当部材を示す。なお、１５はリンク１１を支持するため支軸１２の上方突端に螺着したナットである。この実施形態に示したように、ピン１０を受基板３に設け、案内溝６を摺動板７に形成しても、受基板３に対する摺動板７の相対的動きは上記実施形態と同様に規制できるため、このように構成しても上記実施形態と同様に扉２を全開状態としたとき基端２ｂ側が本体１の本体１の側面からはみ出すことがない。
【００１８】
また、リンク１１や案内溝６の形状は、本発明の要旨を逸脱しない範囲にて変更が可能であるが、リンク１１は扉の基端寄りに設け、案内溝６は該扉の自由端寄りに形成し、該案内溝６は該扉の自由端側に膨らみを有した弧状曲線状に形成し、該リンク１１は該扉の自由端側に膨らみを有した湾曲状の形態にすることにより、該扉の開閉がスムースに行われるようにするとともに、扉２を全開状態としたときにその基端２ｂが該リンク１１と衝突するのが避けられる。
【００１９】
なお以上の実施形態では、本体１に受基板３を固着し、扉２に摺動板７を固着したが、本体１に摺動板７を固着し、扉２に受基板３を固着してもよい。
また、ピン１０の外周にコロ軸受を設けて案内溝６内面との摩擦抵抗を軽減させたり、受基板３と摺動板７との間に例えばナイロン製板等に軽摩擦材を介在させたり、或いは接触面積を少なくする等の摺動時の摩擦抵抗を減らす処置をすることにより、扉の開閉動作を一層スムースにすることができる。
【００２０】
【発明の効果】
このように本発明の蝶番機構は、受基板と摺動板と１つのリンクおよびピンとから構成され、少ない部品点数で構成されるので製作コストを軽減できるとともに、摺動板を受基板上に摺動可能に重合することにより扉支持のガタ付きをなくすとともに、耐荷重性，強度を増大させることができる。このため、扉が常に隙間なく閉じられ、遊技機の場合ではワイヤを侵入させ内部操作をするような不正行為が防止されるなど顕著な効果がある。
【図面の簡単な説明】
【図１】本発明の実施形態を示す蝶番機構の斜視図。
【図２】図１の蝶番機構の分解斜視図。
【図３】図１の蝶番機構の取付状態を示した平面図。
【図４】図３の蝶番機構のＡ−Ａ線断面図。
【図５】図３の蝶番機構の開作動状態図。
【図６】図３の蝶番機構の開作動状態図。
【図７】本発明の他の実施形態を示す蝶番機構の分解斜視図。
【符号の説明】
１          本体
２          扉
３          受基板
６          案内溝
７          摺動板
１０        ピン
１１        リンク
１２，１３  支軸
【図１】
2005013510.tif 000003
【図２】
2005013510.tif 000004
【図３】
2005013510.tif 000005
【図４】
2005013510.tif 000006
【図５】
2005013510.tif 000007
【図６】
2005013510.tif 000008
【図７】
2005013510.tif 000009